(57)【要約】  転動体のための少なくともＵ字形に画定された複数のポケットを備えた転がり軸受け保持器であって、少なくとも１つの環状の周方向エレメントが設けられており、該周方向エレメントが周方向に分配された、半径方向の少なくとも３つの突入部または突出部を備えて形成されており、該突入部の内周面または突出部の外周面が、保持器のためのガイド面として働き、かつ前記周方向エレメントに、ウェブエレメントが材料接続式に結合されており、隣接した２つのウェブエレメントの間にそれぞれ、ポケットの１つが延びていることを特徴とする。
2012506982.tif 000002
【特許請求の範囲】
【請求項１】
軸受け保持器であって、該軸受け保持器が転動体のための少なくともＵ字形に画定された複数のポケットを備えている形式のものにおいて、
少なくとも１つの環状の周方向エレメントが設けられており、該周方向エレメントが周方向に分配された、半径方向の少なくとも３つの突入部または突出部を備えて形成されており、該突入部の内周面または突出部の外周面が、保持器のためのガイド面として働き、かつ
前記周方向エレメントに、ウェブエレメントが材料接続式に結合されており、隣接した２つのウェブエレメントの間にそれぞれ、ポケットの１つが延びていることを特徴とする、転がり軸受け保持器。
【請求項２】
前記エレメントが、鉄材料を含んでいて、前記材料接続式の結合が溶接を含んでいる、請求項１記載の転がり軸受け保持器。
【請求項３】
前記材料接続式の結合が、ろう接または接着を含んでいる、請求項１または２記載の転がり軸受け保持器。
【請求項４】
前記周方向エレメントが、ウェブエレメントの個数に相応して突入部または突出部を備えて形成されている、請求項１から３までのいずれか１項記載の転がり軸受け保持器。
【請求項５】
転動体の個数に相応して、ウェブエレメントが設けられている、請求項１から４までのいずれか１項記載の転がり軸受け保持器。
【請求項６】
前記ウェブエレメントが、前記周方向エレメントの内周面に固定されている、請求項１から５までのいずれか１項記載の転がり軸受け保持器。
【請求項７】
前記ウェブエレメントの１つが、隣接した２つの突入部または突出部の間でそれぞれ固定されている、請求項１から６までのいずれか１項記載の転がり軸受け保持器。
【請求項８】
前記周方向エレメントが、周方向で、特に均等な波形状を備えて形成されている、請求項１から７までのいずれか１項記載に転がり軸受け保持器。
【請求項９】
前記周方向エレメントと、前記ウェブエレメントとが、それぞれ異なる特性を備えて形成されている、請求項１から８までのいずれか１項記載の転がり軸受け保持器。
【請求項１０】
前記エレメントの少なくとも一方が、少なくとも部分領域でコーティングされて形成されている、請求項１から９までのいずれか１項記載の転がり軸受け保持器。
【請求項１１】
前記ウェブエレメントの少なくとも１つが、転動体への接触のために設けられた面に、特に略舟形状の潤滑ポケットを備えて形成されている、請求項１から１０までのいずれか１項記載の転がり軸受け保持器。
【請求項１２】
ウェブエレメントの１つの少なくとも１つの区分の横断面が台形である、請求項１から１１までのいずれか１項記載の転がり軸受け保持器。
【請求項１３】
前記台形の側面が、転動体に合わせて円弧状に形成されている、請求項１２記載の転がり軸受け保持器。
【請求項１４】
前記周方向エレメントが、閉じられているか、または開放されて形成されている、請求項１から１３までのいずれか１項記載の転がり軸受け保持器。
【請求項１５】
前記ウェブエレメントの軸方向の両端部に、それぞれ１つの環状の周方向エレメントが配置されている、請求項１から１４までのいずれか１項記載の転がり軸受け保持器。
【請求項１６】
軸方向で前記周方向エレメントの両端面に、ウェブエレメントにより形成される少なくともＵ字形に画定されるポケットが接続する、請求項１から１５までのいずれ１項記載の転がり軸受け保持器。
【請求項１７】
転がり軸受け保持器が、ころ軸受け保持器として、特に円筒ころ軸受け、円錐ころ軸受けまたは自動調心ころ軸受けのために形成されている、請求項１から１６までのいずれか１項記載の転がり軸受け保持器。
【請求項１８】
前記ウェブエレメントが、相応に異形成形された棒状材料または帯状材料から切断されている、請求項１から１７までのいずれか１項記載の転がり軸受け保持器。
【請求項１９】
前記ウェブエレメントが、同様に形成されている、請求項１から１８までのいずれか１項記載の転がり軸受け保持器。
【発明の詳細な説明】
【技術分野】
【０００１】
本発明は、転動体のための少なくともＵ字形に画定された複数のポケットを備える転がり軸受け保持器に関する。
【０００２】
たとえば、ドイツ連邦共和国実用新案第７９３５９８２号明細書に基づき公知の転がり軸受け保持器は、２つの側方部材と、別個に製造されかつ溶接等によって側方部材に結合された多数のウェブ部材とから成っている。この場合、ウェブ部材はその間に、転動体を収容するための複数のポケットを形成している。この場合、側方部材およびウェブ部材は面状または異形材状に圧延された線材から製造されており、ウェブ部材は、転動体のための接触面を形成するために型押しされている。
【０００３】
本発明の課題は、転動体のための少なくともＵ字形に画定された複数のポケットを備える、改良された転がり軸受け保持器を提供することである。
【０００４】
この課題は、請求項１に記載の転がり軸受け保持器により解決される。有利な実施形態は請求項２以下に記載されている。
【０００５】
請求項１によれば、転動体のための少なくともＵ字形に画定された複数のポケットを備える転がり軸受け保持器は、以下の特徴を有している；すなわち、
−少なくとも１つの環状の周方向エレメントが設けられており、該周方向エレメントが、周方向で分配された、半径方向の少なくとも３つの突入部または突出部を備えて形成されており、突入部の内周面または突出部の外周面が、保持器のためのガイド面として働き、かつ
−周方向エレメントに、ウェブエレメントが材料接続式に、つまり材料による束縛に基づいて結合されており、隣接した２つのウェブエレメントの間にそれぞれ、ポケットの１つが延びている。
【０００６】
この場合、本発明はとりわけ、特に保持器のショルダガイドでは、内側ショルダまたは外側ショルダもしくは内輪つば（Innenringbord）または外輪つば（Aussenringbord）への周方向エレメントの周面の当接部と、ウェブエレメントに設けられた転動体当接面との間の半径方向の間隔を橋架することが必要であるという認識に基づいている。本発明による突入部および突出部によって、この橋架は、有利には、膨出されていない（つまり湾曲していない一様な半径方向幅の）円環状の周方向エレメントに対して極めて少ない材料使用で得られる。ウェブエレメントが周方向エレメントに特に溶接によって固着されていることにより、同じように形成されたウェブエレメントを、簡単かつ廉価な形式で、相応に異形成形された棒状材料または帯状材料を短くすることによって有利には鋼から製造することができる。これにより、当然ながら、本発明による転がり軸受け保持器は、中空円筒状の素材から加工された転がり軸受け保持器に対して、特に保持器ポケットの加工による材料廃棄物が発生せず、したがって有利にはこのような方法に対する材料節約が生じるという利点を提供する。
【０００７】
有利な実施形態では、周方向エレメントと、ウェブエレメントとが、それぞれ異なる特性を有して形成されている。これにより、種々異なる材料を組み合せ、たとえば使用事例に応じて、あまり負荷されないエレメントをより廉価な材料から製造することが可能になるので有利である。さらに、一方のエレメントを、高い耐摩耗性のために熱処理された鋼から製造し、他方のエレメントを、たとえば高い靭性のために未処理にすることも可能である。
【０００８】
有利な別の実施形態では、エレメントの少なくとも一方を、コーティングして形成することが可能である。この場合、周方向エレメントおよびウェブエレメントから転がり軸受け保持器を組み立てることに基づいて、極めて簡単にかつしたがってより廉価に、個別のエレメント、たとえばウェブエレメントのコーティングだけを設けることができる。同じことは、ウェブエレメントの、転動体に面した面に、たとえば潤滑ポケットとして機能する略舟形もしくは滴形に加工形成されたエンボス加工部が設けられている別の有利な実施形態にも当てはまる。
【０００９】
本発明の別の利点、特徴および詳細は、以下に図面につき説明される本発明の実施形態から明らかになる。
【図面の簡単な説明】
【００１０】
【図１】波形の２つの周方向エレメントとウェブエレメントとを備えた円筒ころ軸受け保持器を、これらのエレメントが結合されていない状態で示す斜視図である。
【図２】波形の２つの周方向エレメントとウェブエレメントとを備えた円筒ころ軸受け保持器を、これらのエレメントが結合された状態で示す斜視図である。
【００１１】
図１および図２は、本発明の実施形態として、円筒ころ軸受け保持器を斜視図で示している。この円筒ころ軸受け保持器は、一貫した台形の横断面を有するウェブエレメント１４のための、周方向で波形に形成された２つの周方向エレメント１１を備えている。この場合、図１は、保持器を、周方向エレメント１１およびウェブエレメント１４が未だに結合されていない状態で示しており、図２は、周方向エレメント１１およびウェブエレメント１４の結合後の保持器を示している。この場合、両周方向エレメント１１は、波形状を備えて形成されていて、この場合、周方向エレメント１１の内周面は、波形状の、半径方向内方に向けられた突入部の領域で、円筒ころ軸受けの内側の軌道エレメントのつば（Bord）の外周面におけるガイドのためのガイド面として働くようにされる。この場合、ウェブエレメント１４は、周方向エレメント１１の内周面に、隣接する２つの突入部の間で、それぞれ溶接により固着されている。
【００１２】
別の実施形態では、ウェブエレメント１４は、当然ながら、半径方向外方にさらに膨出されている突出部の中央領域に、外周面側で、周方向エレメント１１に溶接により固着されてもよい。これにより、ガイド面と、ウェブエレメント１４の、ころ外周面に接触するために設けられた側面との間で、より大きな半径方向の間隔を橋架することができる。この場合、ウェブエレメント１４のための周方向エレメントにおける結合領域は、ドイツ連邦共和国特許出願公開第１０２００７２０２１１３号明細書に相応して、ウェブエレメント１４に適合して形成されていてよい。この場合、当然ながら、ウェブエレメント１４の、周方向エレメントの内周面における固定は、このウェブエレメント１４が、周方向エレメントによって、いわば固有に、円筒ころ軸受けの運転中に回転する保持器に基づいて発生する遠心力に対して固定されているという顕著な利点を有している。外側つばガイドのためには、上述の説明が、相応して反対に、波形の周方向エレメントの、半径方向外方に膨出された突出部をもって適用される。
【００１３】
周方向エレメント１１およびウェブエレメント１４は、鉄材料、特に鋼線から製造されている。しかし、別の実施形態では、別の材料を使用することができ、溶接の代わりにろう接または接着が行われ得る。さらに、特にウェブエレメント１４も、特に転動体に面した接触面の領域において特別な滑り特性を得るために、コーティングを備えて形成されていてもよい。
【００１４】
最後に、単列の円筒ころラジアル軸受けのための窓付き保持器を例にした上述の記載を、別のころ軸受け、特に円錐ころ軸受け、球体軸受け、ＣＡＲＢ軸受けおよび球面ころ軸受け、さらに櫛形の保持器を有する軸受け、複数のころ列を有するころ軸受けおよびスラスト軸受けにも転用することができる。
【図１】
2012506982.tif 000003
【図２】
2012506982.tif 000004
【国際調査報告】
2012506982.tif 000005
2012506982.tif 000006
2012506982.tif 000007
2012506982.tif 000008
2012506982.tif 000009
2012506982.tif 000010